(57)【要約】【課題】      老人や肢体不自由者あるいは傷病人など筋力や体力の低下した者や運動能力が不十分な者は元より、健常者においても十分に身体を洗浄することのできる、洗浄力が強く使い易く手の届き難い部位の洗浄も容易な身体用洗浄具を提供する。【解決手段】  帯状本体２の片面の中央にタワシ部３を備え、帯状本体２の両端部に各々４本の繊維製管状体４から成る指掛け部５を備え、帯状本体２の２つの長辺中央に輪状止め紐６と結び目状止め紐７をそれぞれ備えて身体用洗浄具１を構成する。帯状本体２およびタワシ部３そして指掛け部５は繊維製の生地にて構成し、輪状止め紐６および結び目状止め紐７も同じく繊維製の紐にて構成する。【選択図】図１
0003155467.tif 000002
【実用新案登録請求の範囲】
【請求項１】
繊維製の生地にて帯状に形成した身体用の洗浄具であって、
帯状本体の片面の中央にタワシ部を備え、帯状本体の両端部に複数本の繊維製管状体から成る指掛け部を備え、帯状本体の２つの長辺中央に輪状止め紐と結び目状止め紐をそれぞれ備えたものである身体用洗浄具。
【請求項２】
繊維製の生地にて帯状に形成した身体用の洗浄具であって、
帯状本体の片面の中央にタワシ部を備え、帯状本体の一端部に複数本の繊維製管状体から成る指掛け部を備えると共に他端部に収納用袋部を備え、帯状本体の２つの長辺中央に輪状止め紐と結び目状止め紐をそれぞれ備えたものである身体用洗浄具。
【考案の詳細な説明】
【技術分野】
【０００１】  本考案は、浴室等にて身体を洗浄するために使用する繊維製の洗浄具に関するものである。より詳しくは、特に背中や腰あるいは足の後方側など、自分では洗浄しづらい部分を少ない労力で効率良く洗浄することができる身体用洗浄具に関するものである。
【背景技術】
【０００２】  浴室等にて自身の身体をタオルなどで洗浄することは、実は相当な労力を要する作業である。湯に浸かり温まって緊張が解れた体の筋肉は、弛緩して筋力が低下しており、当然に手指の握力も低下している。この状態で石鹸を含んだ滑り易いタオルを把持して自身の体を洗浄するには、相当な握力を要すると共に腕力も要する。特に背中や腰あるいは足の後方側など、手の届き難い部位にあっては更に困難な作業を伴い、体力も相当に消耗するものである。
殊に、老人や肢体不自由者あるいは傷病人など、筋力や体力の低下した者や運動能力が不十分な者にとっては、自身の身体を洗浄する作業は健常者の想像を超えた困難を伴い、予てより何らかの改善が求められていた。
一方、あかすりタオルや浴用ブラシあるいは身体洗浄用スポンジなど、効率良く身体を洗浄するための洗浄具が種々提案され使用されている。摩擦力を高めた繊維製のタオル類や柄が付いたブラシ類あるいは紐の付いたスポンジ類など、様々な工夫を凝らした商品も多く市販されている。これらは老人や肢体不自由者あるいは傷病人などに限らず、健常者にも広く使用されており一定の利便性が認められる。
【考案の概要】
【考案が解決しようとする課題】
【０００３】  上述したような、あかすりタオルや浴用ブラシあるいは身体洗浄用スポンジなどにあっては、洗浄力が強く、使い易く、手の届き難い部位の洗浄が容易であるなど、種々の工夫により利便性の高いものとなっているが、しかし、以下に示すような不具合もあった。
即ち、摩擦力を高めた繊維製のタオル類は、確かに洗浄力は強いものの、両端を両手で握り背中を洗浄する際には相当に強い握力が必要であり、また、両肩甲骨間の窪みのある部位を十分に洗浄することは困難であった。柄が付いたブラシ類は、確かに背中の窪みや手の届き難い部位を洗浄することはできるが、柄の端を把持して十分に洗浄するためには極めて強い握力と腕力を必要とするものであった。紐の付いたスポンジ類も、確かに背中の窪みや手の届き難い部位を洗浄することはできるが、紐を把持して十分に洗浄するためには、やはり極めて強い握力を必要とするものであった。【０００４】  本考案は上述のような現状に鑑みて成されたものであり、老人や肢体不自由者あるいは傷病人など筋力や体力の低下した者や運動能力が不十分な者は元より、健常者においても自身にて十分に身体を洗浄することのできる、洗浄力が強く使い易く手の届き難い部位の洗浄も容易な身体用洗浄具を提供することを課題とするものである。
【課題を解決するための手段】
【０００５】  上記のような課題を解決するために、請求項１に係る本考案の身体用洗浄具は、繊維製の生地にて帯状に形成したものであり、帯状本体の片面の中央にタワシ部を備え、帯状本体の両端部に複数本の繊維製管状体から成る指掛け部を備え、帯状本体の２つの長辺中央に輪状止め紐と結び目状止め紐をそれぞれ備えたものである。
また、請求項２に係る本考案の身体用洗浄具は、同じく繊維製の生地にて帯状に形成したものであり、帯状本体の片面の中央にタワシ部を備え、帯状本体の一端部に複数本の繊維製管状体から成る指掛け部を備えると共に他端部に収納用袋部を備え、帯状本体の２つの長辺中央に輪状止め紐と結び目状止め紐をそれぞれ備えたものである
【考案の効果】
【０００６】  本考案の身体用洗浄具は、このような構成としたことにより、洗浄力が強く使い易く手の届き難い部位の洗浄も容易であり、老人や肢体不自由者あるいは傷病人など筋力や体力の低下した者や運動能力が不十分な者は元より健常者においても、自身にて十分に身体を洗浄することができる。また、収納用袋部を備えた構成とすることにより、持運びや保管に際しても利便性の良いものとすることができる。
【図面の簡単な説明】
【０００７】
【図１】  請求項１に係る本考案の実施例を示す斜視図である。
【図２】  （ａ）は図１に示すＡ−Ａ矢視の断面図、（ｂ）は図１に示すＢ−Ｂ矢視の断面図である。
【図３】  図１に示す実施例の他の使用状態を示す斜視図である。
【図４】  図１に示す実施例の別の使用状態を示す斜視図である。
【図５】  （ａ）は請求項２に係る本考案の実施例を示す斜視図、（ｂ）は（ａ）に示す実施例の身体用洗浄具を収納用袋部に収納した状態を示す斜視図である。
【図６】  本考案において使用するタワシの例を示す斜視図である。
【考案を実施するための形態】
【０００８】
【実施例】
【０００９】  本考案の実施例を以下、図面に基づいて説明する。尚、各図において共通する部分には同一の符号を付し重複する説明は省略する。
図１は請求項１に係る本考案の実施例を示すものであり、帯状本体２の片面の中央にタワシ部３を備え、帯状本体２の両端部に各々４本の繊維製管状体４から成る指掛け部５を備え、帯状本体２の２つの長辺中央に輪状止め紐６と結び目状止め紐７をそれぞれ備えて身体用洗浄具１を構成したものである。帯状本体２およびタワシ部３そして指掛け部５は繊維製の生地から成り、輪状止め紐６および結び目状止め紐７も同じく繊維製の紐から成るものである。
帯状本体２は図２（ａ）に示すように、１枚の生地を封筒状に縫製したものであり、繊維製管状体４も図２（ｂ）に示すように、１枚の生地を管状に縫製したものである。
尚、この実施例では指掛け部５を構成する繊維製管状体４は４本とし、各々一端を帯状本体２の端部に適宜間隔を開けて縫合し、他端を持手部８に収束させて縫合しているが、繊維製管状体４の本数に制限はなく、また、収束手段は持手部８に限らず例えば互いに縫合するなど適宜に設計可能である。輪状止め紐６および結び目状止め紐７は、この実施例では帯状本体２の長辺に縫合しているが、これに限らず例えばタワシ部３に縫合することも可能である。
これらを構成する生地および紐は、例えばナイロン（登録商標）、レーヨン、シルクなど種々の繊維素材のものを利用することができるが、表面をザラザラに加工して摩擦力を高めたものが洗浄力が強くより効果的である。【００１０】  この身体用洗浄具１を使用するにあたっては、両方の指掛け部５に両手の指をそれぞれ掛け、帯状本体２を背中に位置させて両手を動かし洗浄する。特にタワシ部３が背中の窪みに接触するように動かして洗浄する。このような使い方により、握力の弱い者でも手の届き難い部位の洗浄が容易となるほか、背中の洗浄に限らず腰や足の後方側などの洗浄においても使いや易く効率的な洗浄が可能となる。また、指掛け部５の４本の繊維製管状体４をそれぞれ足の指間に挟み動かすことにより、足の指間を効率的に洗浄することも可能である。【００１１】  図３は、上記のような使い方において更に効率的な洗浄ができる使用状態を示すものであり、帯状本体２を長手方向に二つ折りとし、輪状止め紐６に結び目状止め紐７を通して係合させた状態としたものである。このような状態とすることにより、タワシ部３が折り畳んだ帯状本体２の表裏両面に存在することとなるため、身体に対して帯状本体２が裏返しになっても必ずタワシ部３が身体に接触し効率的に洗浄することができる。【００１２】  図４は、図３に示す状態とは逆方向に帯状本体２を二つ折りとし、同じく輪状止め紐６に結び目状止め紐７を通して係合させた状態としたものである。このような状態とすることにより、タワシ部３が折り畳んだ帯状本体２の内部に存在することとなるため、タワシ部３による身体への刺激を緩和することができ、肌の弱い者などの使用に好適となる。【００１３】  図５（ａ）は請求項２に係る本考案の実施例を示すものであり、帯状本体２の片面の中央にタワシ部３を備え、帯状本体２の一端部に４本の繊維製管状体４から成る指掛け部５を備えると共に他端部に収納用袋部１０を備え、帯状本体２の２つの長辺中央に輪状止め紐６と結び目状止め紐７をそれぞれ備えて身体用洗浄具９を構成したものである。各部の素材は先の実施例と同様であり、収納用袋部１０の素材も繊維製の生地から成っている。収納用袋部１０は網目状の生地にて構成し開口部１１に閉じ紐１２を備えたものであり、手で掴んで把持し易く、また、身体を洗浄することもできるようになっている。
図５（ｂ）は収納用袋部１０内に他の部分を全て収納して閉じ紐１２にて開口部１１を閉じた状態を示すものであり、このような構成とすることにより持運びや保管に際しても利便性の良いものとすることができる。【００１４】  図６に示すのは本考案において使用するタワシ部の例であり、１枚あるいは数枚の生地にてギャザー部を作り、全体を略円板形に整えたものである。この生地も例えばナイロン（登録商標）、レーヨン、シルクなど種々の繊維素材のものを利用することができるが、表面をザラザラに加工して摩擦力を高めたものが洗浄力が強くより効果的である。
本考案におけるタワシ部については、この他にも、例えばスポンジ類や硬めの生地など種々のものが使用可能であり、用途あるいは条件に応じて適宜選択し設定することが好ましい。また、他の部分についても同様であり、生地や素材は同じく用途あるいは条件に応じて適宜選択し設定することが好ましい。【００１５】  尚、本考案の身体用洗浄具の全体および各部の大きさ寸法については、例えば比較的大型として大人用としたり、比較的小型として子供用とするなど適宜に設定することができるほか、共用寸法として活用することも好ましい。
【産業上の利用可能性】
【００１６】  本考案の身体用洗浄具は、以上の説明の如き内容のものであり、老人や肢体不自由者あるいは傷病人など、筋力や体力の低下した者や運動能力が不十分な者は元より、健常者においても自身にて十分に身体を洗浄することのできるものであり、洗浄力が強く使い易く手の届き難い部位の洗浄も容易なものである。
殊に握力や腕力あるいは体力の乏しい者にとっては、毎日の入浴において自身の身体を洗浄する作業は健常者の想像を超えた多大な困難を伴うものであり、この作業が容易に可能となることは、ＱＯＬ（Ｑｕａｌｉｔｙ  ｏｆ  ｌｉｆｅ：生活の質）を大いに高めることに繋がるものであり、老若男女を問わず広範囲に活用されることが期待される。
【符号の説明】  １、９    身体用洗浄具
２        帯状本体
３        タワシ部
４        繊維製管状体
５        指掛け部
６        輪状止め紐
７        結び目状止め紐
１０        収納用袋部
【図１】
0003155467.tif 000003
【図２】
0003155467.tif 000004
【図３】
0003155467.tif 000005
【図４】
0003155467.tif 000006
【図５】
0003155467.tif 000007
【図６】
0003155467.tif 000008